(57)【要約】【課題】装置の良好な冷却と良好な清掃とを両立することができる画像形成装置及び定着装置を提供する。【解決手段】画像形成装置１０は、像形成部１００と、用紙の現像剤像が形成された面に接触し用紙を加熱する加熱部材４１０と、加熱部材４１０に用紙を押し付ける押付ロール４３０と、押付ロール４３０を清掃する清掃部４６０と、加熱部材４１０、押付ロール４３０及び清掃部４６０の位置関係を変更する変更機構５３０と、押付ロール４３０を冷却するように風を送る送風装置４７０等とを有し、位置関係変更機構５３０は、送風装置４７０等が風を送る際に、押付ロール４３０へと風を導くための導風路５１２から退く位置に清掃部４６０を配置させる。【選択図】図５
2015184408.tif 000002
【特許請求の範囲】
【請求項１】
記録媒体に現像剤像を形成する像形成部と、
記録媒体の前記像形成部によって現像剤像が形成された面に接触し、記録媒体を加熱する加熱部材と、
前記加熱部材に記録媒体を押し付ける押付部材と、
前記押付部材に接触した状態で前記押付部材を清掃する清掃部と、
前記加熱部材、前記押付部材及び前記清掃部の位置関係を変更する位置関係変更手段と、
前記押付部材を冷却するように風を送る送風装置と、
を有し、
前記位置関係変更手段は、前記送風装置が風を送る際に、前記押付部材へと風を導くための導風路から退く位置に前記清掃部を配置させる画像形成装置。
【請求項２】
前記位置関係変更手段は、記録媒体に現像剤像を定着させる際に前記加熱部材と前記押付部材とを接触させる請求項１記載の画像形成装置。
【請求項３】
前記位置関係変更手段は、記録押付部材を清掃する際に前記押付部材と前記清掃部とを接触させる請求項１又は２記載の画像形成装置。
【請求項４】
前記位置関係変更手段は、前記押付部材を清掃するに先立ち、前記加熱部材と前記押付部材とを接触させる請求項３記載の画像形成装置。
【請求項５】
前記位置関係変更手段は、前記送風装置が風を送る際に、前記押付部材の表面の温度に応じ、前記導風路の幅を変更するように前記押付部材と前記清掃部との位置関係を変更する請求項１乃至４いずれか記載の画像形成装置。
【請求項６】
前記位置関係変更手段は、前記送風手段が風を送る際に、前記押付部材の表面の温度が予め定められた所定温度以上である場合に前記押付部材の表面の温度が前記予め定められた所定温度よりも小さい場合よりも前記導風路の幅を狭くするように、前記押付部材と前記清掃部との位置関係を変更する請求項５記載の画像形成装置。
【請求項７】
前記送風装置は、画像を形成する際に、前記押付部材の表面の温度に応じ、前記押付部材の温度が予め定められた所定の範囲内となるように送風を開始し送風を停止する請求項１乃至６いずれか記載の画像形成装置。
【請求項８】
前記送風装置を複数有し、
複数の前記送風装置は、
前記押付部材の長手方向においてそれぞれに異なる位置に配置されていて、
前記押付部材の表面における複数の前記送風装置のそれぞれに対応する位置の温度に応じ、独立に送風を開始し送風を停止する
請求項７記載の画像形成装置。
【請求項９】
記録媒体に現像剤像を形成する像形成部と、
記録媒体の前記像形成部によって現像剤像が形成された面に接触し、記録媒体を加熱する加熱部材と、
前記加熱部材に記録媒体を押し付ける押付部材と、
前記押付部材に接触した状態で前記押付部材を清掃する清掃部と、
前記加熱部材、前記押付部材及び前記清掃部の位置関係を変更する位置関係変更手段と、
前記押付部材を冷却するように風を送る送風装置と、
を有し、
前記位置関係変更手段は、
前記加熱部材と前記押付部材とが接触し、前記押付部材と前記清掃部とが離間し、前記押付部材へと風を導くための導風路から退く位置に前記清掃部を配置させる第１の位置関係と、
前記加熱部材と前記押付部材とが離間し、前記押付部材と前記清掃部とが接触する第２の位置関係と、
の間で前記位置関係を変更する画像形成装置。
【請求項１０】
前記位置関係変更手段は、前記加熱部材と前記押付部材とが接触し、前記押付部材と前記清掃部とが離間し、前記第１の位置関係においてよりも前記導風路の幅が狭くなる第３の位置関係との間でさらに位置関係を変更する請求項９記載の画像形成装置。
【請求項１１】
記録媒体の現像剤像が形成された面に接触し、記録媒体を加熱する加熱部材と、
前記加熱部材に記録媒体を押し付ける押付部材と、
前記押付部材に接触した状態で前記押付部材を清掃する清掃部と、
前記加熱部材、前記押付部材及び前記清掃部の位置関係を変更する位置関係変更手段と、
前記押付部材を冷却するように風を送る送風装置と、
を有し、
前記位置関係変更手段は、前記送風装置が風を送る際に、前記押付部材へと風を導くための導風路から退く位置に前記清掃部を配置させる定着装置。
【請求項１２】
記録媒体の現像剤像が形成された面に接触し、記録媒体を加熱する加熱部材と、
前記加熱部材に記録媒体を押し付ける押付部材と、
前記押付部材に接触した状態で前記押付部材を清掃する清掃部と、
前記加熱部材、前記押付部材及び前記清掃部の位置関係を変更する位置関係変更手段と、
前記押付部材を冷却するように風を送る送風装置と、
を有し、
前記位置関係変更手段は、
前記加熱部材と前記押付部材とが接触し、前記押付部材と前記清掃部とが離間し、前記押付部材へと風を導くための導風路から退く位置に前記清掃部を配置させる第１の位置関係と、
前記加熱部材と前記押付部材とが離間し、前記押付部材と前記清掃部とが接触する第２の位置関係と、
の間で前記位置関係を変更する定着装置。
【発明の詳細な説明】
【技術分野】
【０００１】
本発明は、画像形成装置及び定着装置に関する。
【背景技術】
【０００２】
特許文献１には、トナー像を担持した記録媒体の前記トナー像側に配置される定着部材と、前記記録媒体の非トナー像側に配置される加圧部材と、を備え、前記トナー像を担持した記録媒体が前記定着部材と前記加圧部材との間を通過した時に、前記トナー像のトナーを加熱及び加圧することで、前記トナー像を前記記録媒体に定着する定着装置であって、前記定着部材と前記加圧部材との間の距離を可変する可変手段と、前記定着部材が前記加圧部材から離間する位置に在るときに前記加圧部材に接触して前記加圧部材をクリーニングするクリーニング部材と、を備えたことを特徴とする定着装置が記載されている。
【０００３】
特許文献２には、加熱手段によって加熱されるとともに、所定方向に回転してトナー像を加熱・溶融して記録媒体上に定着する定着部材と、前記定着部材に圧接して記録媒体が搬送されるニップ部を形成する加圧回転体と、前記加圧回転体の表面温度を検知する温度検知手段と、前記温度検知手段によって検知される温度が所定値以上であるときに、前記定着部材と前記加圧回転体とのうち少なくとも前記定着部材が回転駆動された状態であって前記ニップ部に記録媒体が搬送されていない状態で、前記定着部材から前記加圧回転体に向けて伝熱される熱量が低くなるように調整する調整手段と、を備えたことを特徴とする定着装置が記載されている。
【先行技術文献】
【特許文献】
【０００４】
【特許文献１】特開２００８−１２９０８９号公報
【特許文献２】特開２０１３−４１１９１号公報
【発明の概要】
【発明が解決しようとする課題】
【０００５】
本発明は、定着装置の良好な冷却と良好な清掃とを両立することができる画像形成装置及び定着装置を提供することを目的とする。
【課題を解決するための手段】
【０００６】
請求項１に係る本発明は、記録媒体に現像剤像を形成する像形成部と、記録媒体の前記像形成部によって現像剤像が形成された面に接触し、記録媒体を加熱する加熱部材と、前記加熱部材に記録媒体を押し付ける押付部材と、前記押付部材に接触した状態で前記押付部材を清掃する清掃部と、前記加熱部材、前記押付部材及び前記清掃部の位置関係を変更する位置関係変更手段と、前記押付部材を冷却するように風を送る送風装置と、を有し、前記位置関係変更手段は、前記送風装置が風を送る際に、前記押付部材へと風を導くための導風路から退く位置に前記清掃部を配置させる画像形成装置である。
【０００７】
請求項２に係る本発明は、前記位置関係変更手段は、記録媒体に現像剤像を定着させる際に前記加熱部材と前記押付部材とを接触させる請求項１記載の画像形成装置である。
【０００８】
請求項３に係る本発明は、前記位置関係変更手段は、記録押付部材を清掃する際に前記押付部材と前記清掃部とを接触させる請求項１又は２記載の画像形成装置である。
【０００９】
請求項４に係る本発明は、前記位置関係変更手段は、前記押付部材を清掃するに先立ち、前記加熱部材と前記押付部材とを接触させる請求項３記載の画像形成装置である。
【００１０】
請求項５に係る本発明は、前記位置関係変更手段は、前記送風装置が風を送る際に、前記押付部材の表面の温度に応じ、前記導風路の幅を変更するように前記押付部材と前記清掃部との位置関係を変更する請求項１乃至４いずれか記載の画像形成装置である。
【００１１】
請求項６に係る本発明は、前記位置関係変更手段は、前記送風手段が風を送る際に、前記押付部材の表面の温度が予め定められた所定温度以上である場合に前記押付部材の表面の温度が前記予め定められた所定温度よりも小さい場合よりも前記導風路の幅を狭くするように、前記押付部材と前記清掃部との位置関係を変更する請求項５記載の画像形成装置である。
【００１２】
請求項７に係る本発明は、前記送風装置は、画像を形成する際に、前記押付部材の表面の温度に応じ、前記押付部材の温度が予め定められた所定の範囲内となるように送風を開始し送風を停止する請求項１乃至６いずれか記載の画像形成装置である。
【００１３】
請求項８に係る本発明は、前記送風装置を複数有し、複数の前記送風装置は、前記押付部材の長手方向においてそれぞれに異なる位置に配置されていて、前記押付部材の表面における複数の前記送風装置のそれぞれに対応する位置の温度に応じ、独立に送風を開始し送風を停止する請求項７記載の画像形成装置である。
【００１４】
請求項９に係る本発明は、記録媒体に現像剤像を形成する像形成部と、記録媒体の前記像形成部によって現像剤像が形成された面に接触し、記録媒体を加熱する加熱部材と、前記加熱部材に記録媒体を押し付ける押付部材と、前記押付部材に接触した状態で前記押付部材を清掃する清掃部と、前記加熱部材、前記押付部材及び前記清掃部の位置関係を変更する位置関係変更手段と、前記押付部材を冷却するように風を送る送風装置と、を有し、前記位置関係変更手段は、前記加熱部材と前記押付部材とが接触し、前記押付部材と前記清掃部とが離間し、前記押付部材へと風を導くための導風路から退く位置に前記清掃部を配置させる第１の位置関係と、前記加熱部材と前記押付部材とが離間し、前記押付部材と前記清掃部とが接触する第２の位置関係と、の間で前記位置関係を変更する画像形成装置である。
【００１５】
請求項１０に係る本発明は、前記位置関係変更手段は、前記加熱部材と前記押付部材とが接触し、前記押付部材と前記清掃部とが離間し、前記第１の位置関係においてよりも前記導風路の幅が狭くなる第３の位置関係との間でさらに位置関係を変更する請求項９記載の画像形成装置である。
【００１６】
請求項１１に係る本発明は、記録媒体の現像剤像が形成された面に接触し、記録媒体を加熱する加熱部材と、前記加熱部材に記録媒体を押し付ける押付部材と、前記押付部材に接触した状態で前記押付部材を清掃する清掃部と、前記加熱部材、前記押付部材及び前記清掃部の位置関係を変更する位置関係変更手段と、前記押付部材を冷却するように風を送る送風装置と、を有し、前記位置関係変更手段は、前記送風装置が風を送る際に、前記押付部材へと風を導くための導風路から退く位置に前記清掃部を配置させる定着装置である。
【００１７】
請求項１２に係る本発明は、記録媒体の現像剤像が形成された面に接触し、記録媒体を加熱する加熱部材と、前記加熱部材に記録媒体を押し付ける押付部材と、前記押付部材に接触した状態で前記押付部材を清掃する清掃部と、前記加熱部材、前記押付部材及び前記清掃部の位置関係を変更する位置関係変更手段と、前記押付部材を冷却するように風を送る送風装置と、を有し、前記位置関係変更手段は、前記加熱部材と前記押付部材とが接触し、前記押付部材と前記清掃部とが離間し、前記押付部材へと風を導くための導風路から退く位置に前記清掃部を配置させる第１の位置関係と、前記加熱部材と前記押付部材とが離間し、前記押付部材と前記清掃部とが接触する第２の位置関係と、の間で前記位置関係を変更する定着装置である。
【発明の効果】
【００１８】
請求項１に係る本発明によれば、定着装置の良好な冷却と良好な清掃とを両立することができる。
【００１９】
請求項２に係る本発明によれば、加熱部材と押付部材との間に定着領域を形成することができる。
【００２０】
請求項３に係る本発明によれば、押付部材を清掃装置で清掃することができる。
【００２１】
請求項４に係る本発明によれば、押付部材を清掃するに先立ち押付部材を加熱することができる。
【００２２】
請求項５に係る本発明によれば、導風路の幅を変更することで、押付部材の表面温度に応じて導風路内における風速を変更することができる。
【００２３】
請求項６に係る本発明によれば、押付部材の表面温度が予め定められた所定温度以上である場合に、導風路内における風速を速くすることができる。
【００２４】
請求項７に係る本発明によれば、画像形成時に押し付け部材の温度を予め定められた所定温度内とすることができる。
【００２５】
請求項８に係る本発明によれば、押付部材の長手方向における位置に応じて押付部材の温度を制御することができる。
【００２６】
請求項９に係る本発明によれば、定着装置の良好な冷却と良好な清掃とを両立することができる。
【００２７】
請求項１０に係る本発明によれば、導風路の幅を狭くすることで導風路内における風速を速くすることができる。
【００２８】
請求項１１に係る本発明によれば、定着装置の良好な冷却と良好な清掃とを両立することができる。
【００２９】
請求項１２に係る本発明によれば、定着装置の良好な冷却と良好な清掃とを両立することができる。
【図面の簡単な説明】
【００３０】
【図１】本発明の実施形態に係る画像形成装置の概略構成を示す図である。
【図２】図１に示す画像形成装置が有する現像剤像形成部の概略構成を示す図である。
【図３】図１に示す画像形成装置が有する定着装置の概略構成を示す図である。
【図４】図３に示す定着装置の図１におけるＡ−Ａ線断面を模式的に示す図である。
【図５】図１に示す画像形成装置が有する清掃部と位置関係変更機構とを示し、図５（ａ）は位置関係変更機構によって、加熱部材、押付部材及び清掃部が第２の位置関係にある状態を示す図であり、図５（ｂ）は位置関係変更機構によって、加熱部材、押付部材及び清掃部が第２の位置関にある状態を示す図である。
【図６】図１に示す画像形成装置が有する清掃部と位置関係変更機構とを示し、加熱部材、押付部材及び清掃部が第３の位置関係にある状態を示す図であり、
【図７】図１に示す画像形成装置が有する制御部を示すブロック図である。
【図８】図１に示す画像形成装置の画像形成時の動作を示すフローチャートである。
【図９】図１に示す画像形成装置の押付部材の温度を制御する動作を示すフローチャートである。
【図１０】図１に示す画像形成装置の導風路の幅を調整する動作を示すフローチャートである。
【図１１】図１に示す画像形成装置の画像形成動作の終了時における動作を示すフローチャートである。
【図１２】図１に示す画像形成装置の押付部材の清掃時における動作を示すフローチャートである。
【発明を実施するための形態】
【００３１】
次に、本発明を実施するための形態を図面を参照して説明する。
図１には、本発明の実施形態に係る画像形成装置１０が示されている。図１に示すように、画像形成装置１０は画像形成装置本体１２を有し、画像形成装置本体１２には、記録媒体として用いられる用紙を排出する排出口１４が形成されている。
【００３２】
画像形成装置本体１２内には、用紙に現像剤像を形成する像形成部１００と、像形成部１００に用紙を供給する例えば２つの給紙装置２００と、像形成部１００で形成された現像剤像を用紙に転写する転写装置３００と、熱を用いて用紙に現像剤像を定着させる定着装置４００とが配置されている。また、画像形成装置本体１２内には、用紙が搬送される搬送路２５０が形成されている。
【００３３】
像形成部１００は、像保持体として用いられている感光体ドラム１１２Ｙ、１１２Ｍ、１１２Ｃ、１１２Ｋをそれぞれに有し、感光体ドラム１１２Ｙ、１１２Ｍ、１１２Ｃ、１１２Ｋの表面にイエロー現像剤像、マゼンタ現像剤像、シアン現像剤像、黒現像剤像をそれぞれに形成するイエロー現像剤像形成ユニット１１０Ｙ、マゼンタ現像剤像形成ユニット１１０Ｍ、シアン現像剤像形成ユニット１１０Ｃ、黒現像剤像形成ユニット１１０Ｋを有する。イエロー現像剤像形成ユニット１１０Ｙ、マゼンタ現像剤像形成ユニット１１０Ｍ、シアン現像剤像形成ユニット１１０Ｃ及び黒現像剤像形成ユニット１１０Ｋの詳細は後述する。
【００３４】
転写装置３００は、感光体ドラム１１２Ｙ、１１２Ｍ、１１２Ｃ、１１２Ｋにそれぞれ形成された現像剤像が重ねられるように転写される中間転写体３１０を有する。中間転写体３１０は、帯状であり無端状であって、支持ロール３２０、３２２、３２４、３２６、３２８に支持されていて、支持ロール３２０、３２２、３２４、３２６、３２８の中の少なとも１つの支持ロールからの駆動の伝達を受けることで、図１に矢印で示す方向に回転する。
【００３５】
また、転写装置３００は、感光体ドラム１１２Ｙ、１１２Ｍ、１１２Ｃ、１１２Ｋのそれぞれから中間転写体３１０に対して現像剤像を転写するための１次転写装置３３０Ｙ、３３０Ｍ、３３０Ｃ、３３０Ｋを有する。また、転写装置３００は、中間転写体３１０に転写された現像剤像を用紙に対してさらに転写する２次転写装置３４０を有する。
【００３６】
給紙装置２００は、それぞれが用紙収納部２０２と、用紙収納部２０２に収納された最上位に位置する用紙を搬送路２５０へと送り出す送り出しロール２０４とを有する。
【００３７】
搬送路２５０は、給紙装置２００から供給された用紙を排出口１４に向けて搬送する搬送路であり、搬送路２５０に沿って用紙の搬送方向上流側から順に、先述の送り出しロール２０４と、搬送ロール２５２と、レジストロール２５４と、先述の支持ロール３２２及び２次転写装置３４０と、先述の定着装置４００と、排出ロール２５６とが配置されている。
【００３８】
搬送ロール２５２は、レジストロール２５４に向けて用紙を搬送する。レジストロール２５４は、回転を停止した状態で用紙の先端部を一時的に静止させ、所定のタイミングで回転を開始することで、中間転写体３１０に現像剤像が転写されるタイミングに合致するように、支持ロール３２２と２次転写装置３４０との接触部に用紙を供給する。排出ロール２５６は、排出口１４を通過させるようにして用紙を画像形成装置本体１２外に排出する。
【００３９】
定着装置４００は、熱を用いて用紙に現像剤像を定着させる装置である。定着装置４００の詳細は後述する。
【００４０】
図２には、現像剤像形成ユニット１１０Ｙ、１１０Ｍ、１１０Ｃ、１１０Ｋが示されている。現像剤像形成ユニット１１０Ｙ、１１０Ｍ、１１０Ｃ及び１１０Ｋは、用いるトナーの色と形成する画像の色とが互いに異なるものの構成が互いに同一であるため、以下、現像剤像形成ユニット１１０と総称して説明する。図２に示すように、現像剤像形成ユニット１１０は、感光体ドラム１１２の表面を帯電させる帯電装置１１４と、帯電装置１１４により帯電された感光体ドラム１１２の表面に光を照射して潜像を形成させる潜像形成装置１１６と、潜像形成装置１１６によって感光体ドラム１１２の表面に形成された潜像をトナーを用いて現像する現像装置１１８と、中間転写体３１０に対して１次転写装置３３０によって現像剤像が転写された後の感光体ドラム１１２の表面を清掃する清掃装置１２２とを有する。
【００４１】
図３及び図４には、定着装置４００が示されている。図３及び図４に示されているように、定着装置４００は、像形成部１００（図１を参照）によって現像剤像が形成された用紙の面に接触し、用紙を加熱する加熱部材４１０を有する。加熱部材４１０は、帯状であり無端状であって、支持ロール４１２、支持ロール４１４及び支持部材４１６によって回転することができるように支持されている。支持ロール４１２、支持ロール４１４及び支持部材４１６は、それぞれが内部に例えばハロゲンランプ等の発熱部４２２、発熱部４２４、発熱部４２６を有している。加熱部材４１０は、用紙に現像剤を定着する際には、後述する押付ロール４３０に連れ回りして図３に矢印で示す方向に回転する。
【００４２】
また、定着装置４００は、加熱部材４１０に用紙を押し付ける押付部材として用いられている押付ロール４３０を有する。押付ロール４３０は、用紙に現像剤像を定着させる際には、加熱部材４１０を介して支持部材４１６に対して押し付けられる。また、押付ロール４３０は、加熱部材４１０との間に用紙に現像剤像を定着させる領域である定着領域Ｎを形成している。また、押付ロール４３０には、例えばギア列等から構成される駆動伝達機構４５０を介して、駆動源として用いられているモータ４５２が連結されていて、押付ロール４３０は、モータ４５２からの駆動伝達を受けて図３に矢印で示す方向に回転する。
【００４３】
また、定着装置４００は、２次転写装置３４０（図１を参照）によって現像剤像が転写された用紙を定着領域Ｎに搬送する搬送装置４４０を有する。搬送装置４４０は、用紙の未定着の現像剤像が転写された側の面とは逆側の面である重力方向における下向きの面に接触するようにして用紙を支持し、支持している用紙を搬送する無端状の搬送部材４４２と、搬送部材４４２を支持する支持ロール４４４、支持ロール４４６を有する。搬送部材４４２は、支持ロール４４４、支持ロール４４６の少なくとも一方から駆動が伝達されることで回転し、定着領域Ｎへと用紙を搬送する。
【００４４】
また、定着装置４００は、押付ロール４３０に接触した状態で押付ロール４３０を清掃する清掃部４６０を有する。尚、図３に示す状態においては、清掃部４６０は押付ロール４３０に対して接触していない。清掃部４６０の詳細は後述する。
【００４５】
また、定着装置４００は、押付ロール４３０を冷却するように風を送る例えば３個の送風装置を有する。すなわち、定着装置４００は、第１送風装置４７０、第２送風装置４８０、第３送風装置４９０を有する。第１送風装置４７０、第２送風装置４８０、第３送風装置４９０は、羽根部４７４、羽根部４８４、羽根部４９４をそれぞれに備えた回転部４７２、回転部４８２、回転部４９２をそれぞれに有し、回転部４７２、４８２、４９２が回転することで押付ロール４３０へ向けて風を送る。
【００４６】
第１送風装置４７０、第２送風装置４８０及び第３送風装置４９０は、図４に示されているように、押付ロール４３０の長手方向に沿って並べられていて、第１送風装置４７０は押付ロール４３０の前側（図４における下側）の部分へと風を送り、第２送風装置４８０は押付ロール４３０の中央付近へと風を送り、第３送風装置４９０は押付ロール４３０の後側（図４における上側）の部分へと風を送るようになっている。
【００４７】
また、図４に示すように、押付ロール４３０近傍には、押付ロール４３０の表面の温度を検出する第１温度センサ４７６と第２温度センサ４８６とが設けられている。第１温度センサ４７６は押付ロール４３０の表面における前側の部分の温度を検出し、第２温度センサ４８６は押付ロール４３０の表面における中央部付近の温度を検出する。第１温度センサ４７６、第２温度センサ４８６に加えて、押付ロール４３０の表面における後側の部分の温度を測定する第３温度センサ４９６を設けても良い。
【００４８】
第１温度センサ４７６、第２温度センサ４８６、第３温度センサ４９６は、例えば赤外線温度センサ等の押付ロール４３０の表面に接触せずに押付ロール４３０の表面の温度を測定することができる非接触タイプの温度センサを用いることが望ましい。
【００４９】
また、定着装置４００は、押付ロール４３０へと風を導くための導風路５１２を形成する導風路形成部材５１０を有する。
【００５０】
また、定着装置４００は、加熱部材４１０、押付ロール４３０及び清掃部４６０の位置関係を変更する位置関係変更手段として用いられている位置関係変更機構５３０を有する。位置関係変更機構５３０は、押付ロール４３０の位置と清掃部４６０の位置とを変更するための用いられる第１アクチュエータ５３２と、清掃部４６０の位置を変更するために用いられる第２アクチュエータ５３３とを有する。第１アクチュエータ５３２、第２アクチュエータ５３３としては、例えばソレノイドを用いることができる。位置関係変更機構５３０の詳細は後述する。
【００５１】
図５及び図６には、清掃部４６０と位置関係変更機構５３０とが示されている。
図５及び図６に示されているように、清掃部４６０は、例えば２つの清掃部材４６２を有する。清掃部材４６２は、例えばフエルト（不織布）から構成されていて、図５（ａ）に示すように押付ロール４３０に接触する。そして、押付ロール４３０に清掃部材４６２が押し付けられている状態で押付ロール４３０が回転することで、押付ロール４３０の表面に付着した現像剤等が清掃部材４６２によって掻き取られるようにして、押付ロール４３０が清掃される。２つの清掃部材４６２は、押付ロール４３０の回転方向に沿って並べて配置されている。
【００５２】
清掃部材４６２は、清掃部材４６２を支持する支持部材５３４の押付ロール４３０側の面に装着されている。支持部材５３４は、定着装置本体側に形成されている支持軸５３６に対して支持軸５３６を中心に回転することができるように支持されている。また、支持部材５３４には、例えばトーションスプリング等の付勢部材５３８が装着されていて、付勢部材５３８によって支持軸５３６を中心として図５（ｂ）に示す矢印ａ方向に、すなわち清掃部材４６２が押付ロール４３０から離間する方向に回転するように付勢されている。
【００５３】
このように、付勢部材５３８により付勢されているため、清掃部材４６２と支持部材５３４とは、支持部材５３４に外部から力が加えられない限り、図５（ｂ）に示す位置に位置することになる。図５（ａ）に示す状態においては、支持部材５３４の右端部側が後述する支持板５４２によって押し下げられ、支持部材５３４が付勢部材５３８の付勢に抗して、図５（ｂ）に示す状態から支持軸５３６を中心として時計回り方向に回転している。また、図６に示す状態においては、第２アクチュエータ５３３からの力を受けて、支持部材５３４は支持軸５３６を中心として時計回り方向に回転している。以上で説明をした支持部材５３４、支持軸５３６及び付勢部材５３８は、先述の位置関係変更機構５３０の一部を構成している。
【００５４】
また、図５及び図６に示されているように、押付ロール４３０は、支持板５４２に支持されている。そして、支持板５４２は、定着装置本体側に形成されている支持軸５４４に対して支持軸５４４を中心に回転することができるように支持されている。このため押付ロール４３０と支持板５４２とは、支持軸５４４を中心に回転するように一体として定着装置本体に対して移動する。以上で説明をした支持板５４２と支持軸５４４とは、先述の位置関係変更機構５３０の一部を構成している。
【００５５】
先述の第１アクチュエータ５３２は、支持板５４２に装着されている。そして、第１アクチュエータ５３２がオフであるときは、図５（ａ）に示すように加熱部材４１０と押付ロール４３０とが離間し、押付ロール４３０と清掃部４６０とが接触した状態となる。一方、第１アクチュエータ５３２がオンとされると、支持板５４２の支持軸５４４と逆側の部分がアクチュエータ５３２によって引き上げられて、図５（ｂ）と図６とに示すように、加熱部材４１０と押付ロール４３０とが接触し、押付ロール４３０と清掃部４６０とが離間した状態となる。
【００５６】
また、先述の第２アクチュエータ５３３は、図６に示すように支持部材５３４に取り付けられている。第２アクチュエータ５３３をオンとすると、支持部材５３４は、付勢部材５３８の付勢に抗して図５（ｂ）に示す位置から図６に示す位置へと図６に示す矢印ｂの方向に回転するように移動する。
【００５７】
図５（ａ）に示す状態においては、先述のように加熱部材４１０と押付ロール４３０とが離間し、押付ロール４３０と清掃部４６０の清掃部材４６２とが接触している。この図５（ａ）に示されていている加熱部材４１０、押付ロール４３０及び清掃部４６０の位置関係を以下、第２の位置関係と呼ぶ。第２の位置関係においては、清掃部４６０の清掃部材４６２が、導風路５１２（図１を参照）内に位置した状態となり、清掃部４６０が導風路５１２と干渉した状態となる。このため第２の状態において第１送風装置４７０、第２送風装置４８０及び第３送風装置４９０を駆動させたとしても、第１送風装置４７０、第２送風装置４８０及び第３送風装置４９０からの風が清掃部４６０に遮られてしまい、押付ロール４３０に到達しにくく、押付ロール４３０の冷却が良好になされない。
【００５８】
また、第２の位置関係は、画像形成装置１０が待機状態にある際の加熱部材４１０、押付ロール４３０及び清掃部４６０の位置関係である。第２の位置関係を実現させるには、第１アクチュエータ５３２と第２アクチュエータ５３３との双方をオフとする。
【００５９】
図５（ｂ）に示す状態においては、先述のように加熱部材４１０と押付ロール４３０とが接触し、押付ロール４３０と清掃部４６０の清掃部材４６２とが離間している。また、図５（ｂ）に示す状態においては、清掃部４６０の清掃部材４６２が導風路５１２（図１参照）の下側に配置された状態となり、清掃部４６０が導風路５１２から退く位置に配置された状態となる。この図５（ｂ）に示されている加熱部材４１０、押付ロール４３０及び清掃部４６０の位置関係を以下、第１の位置関係と呼ぶ。第１の位置関係においては、清掃部４６０のより導風路５１２内の風が遮蔽されることがないため、第１送風装置４７０、第２送風装置４８０及び第３送風装置４９０を駆動させることにより、押付ロール４３０の表面に風が到達し、押付ロール４３０の良好な冷却が実現される。この第１の位置関係は、第１アクチュエータ５３２をオンとして、第２アクチュエータ５３３をオフとすることで実現される。
【００６０】
図６に示す状態においては、第１の位置関係と同様に、加熱部材４１０と押付ロール４３０とが接触し、押付ロール４３０と清掃部４６０の清掃部材４６２とが離間している。また、図６に示す状態においては、第１の位置関係と比較して、清掃部４６０の清掃部材４６２が押付ロール４３０に接近している。このため、清掃部４６０によって導風路５１２（図１を参照）の幅が第１の位置関係におけるものよりも狭くなっている。この図６に示されている加熱部材４１０、押付ロール４３０及び清掃部４６０の位置関係を以下、第３の位置関係と呼ぶ。
【００６１】
第３の位置関係においては、導風路５１２の幅が第１の位置関係よりも狭いので、第１送風装置４７０、第２送風装置４８０及び第３送風装置４９０から供給される風の速度が一定であるとすると、導風路５１２の押付ロール４３０近傍を通過する風の速度は、第１の状態におけるものよりも速くなる。第３の位置関係は、第１アクチュエータ５３２をオンとし、第２アクチュエータ５３３をオンとすることで実現される。
【００６２】
図７には、画像形成装置１０が有する制御部９００が示されている。図７に示されているように、制御部９００は、例えばＣＰＵ等から構成される制御回路９０２を有し、制御回路９０２には、通信インターフェイス９０４を介して画像データが入力される。また、制御回路９０２には、第１温度センサ４７６からの出力と第２温度センサ４８６からの出力とが入力される。また、制御回路９０２からの出力により像形成部１００、第１アクチュエータ５３２、第２アクチュエータ５３３、第１送風装置４７０、第２送風装置４８０、第３送風装置４９０、発熱部４２２、発熱部４２４、発熱部４２６及びモータ４５２が制御される。また、制御回路９０２には、記憶部９０６が接続されている。記憶部９０６には、先に清掃部４６０により押付ロール４３０の清掃がなされた後に、像形成部１００によって形成された画像の数が記憶されている。
【００６３】
図８には、画像形成装置１０の画像形成時の制御が示されている。
制御回路９０２へと画像データが入力されることにより一連の制御が開始されると、図８に示されているように、ステップＳ１０２において制御回路９０２は第１アクチュエータ５３２をオンとして、加熱部材４１０と押付ロール４３０とを接触させて画像形成装置１０を第１の位置関係（図５（ｂ）を参照）とする。
【００６４】
次のステップＳ１０４で、制御回路９０２は、像形成部１００に画像の形成を開始させるとともに、定着装置４００に用紙への画像の定着を開始させ、ステップＳ２００で押付ロール４３０の温度制御を開始する。ステップＳ２００における押付ロール４３０の温度制御の詳細は後述する。
【００６５】
次のステップＳ１０６で、制御回路９０２は、画像形成が通信インターフェイス９０４を介して入力された画像データの最後の画像データによるものかどうかを判別し、画像形成が最後の画像データであるとの判別がなされた場合、ステップＳ１０８で画像形成と定着とを終了させる。
【００６６】
さらにステップＳ１１０で、制御回路９０２は、第１アクチュエータ５３２をオフとし、加熱部材４１０と押付ロール４３０とを離間させ、押付ロール４３０と清掃部４６０とを接触させて、画像形成装置１０を第２の位置関係（図５（ａ）を参照）として、一連の制御を終了させる。
【００６７】
図９には、ステップＳ２００における押付ロール４３０の温度制御の詳細が示されている。一連の制御を開始すると、最初のステップＳ３００において、制御回路９０２は、導風路５１２の幅の調整を行わせる。ステップＳ３００における導風路５１２の幅を調整する制御の詳細は後述する。
【００６８】
次のステップＳ２０２において、制御回路９０２は、第１温度センサ４７６からの出力と第２温度センサ４８６からの出力に基づいて押付ロール４３０の表面の温度が予め定められた第１の温度以上であるか否かを判別する。そして、押付ロール４３０の温度が予め定まられた第１の温度以上であるとの判別がなされた場合、ステップＳ２０４において、制御回路９０２は、第１送風装置４７０、第２送風装置４８０、第３送風装置４９０をオンとして、押付ロール４３０への送風を開始させ、押付ロール４３０の冷却を開始させる。
【００６９】
次のステップＳ２０６において、制御回路９０２は、第１温度センサ４７６からの出力と第２温度センサ４８６からの出力に基づいて押付ロール４３０の表面の温度が予め定められた第２の温度以下であるか否かを判別する。ここで、第２の温度は先述の第１の温度よりも低い温度である。そして、押付ロール４３０の温度が予め定められた第２の温度以下であるとの判別がなされた場合、ステップＳ２０８において、制御回路９０２は、第１送風装置４７０、第２送風装置４８０、第３送風装置４９０をオフとして、押付ロール４３０への送風を停止させる。
【００７０】
ここで、ステップＳ２０２、ステップＳ２０４、ステップＳ２０６及びステップＳ２０８においては、第２温度センサ４８６からの出力に基づいて第２送風装置４８０の制御がなされ、第１温度センサ４７６からの出力に基づいて第１送風装置４７０と第３送風装置４９０との制御がなされる。また、第３温度センサ４９６を設けた場合は、第１温度センサ４７６からの出力に基づいて第１送風装置４７０の制御がなされ、第２温度センサ４８６からの出力に基づいて第２送風装置４８０の制御がなされ、第３温度センサ４９６からの出力に基づいて第３送風装置４９０の制御がなされる。
【００７１】
そして、ステップＳ２１０において、画像形成が終了したことを確認した後、制御回路９０２は、第１送風装置４７０、第２送風装置４８０、第３送風装置４９０であってオンとなっているものをオフとして一連の制御を終了させる。
【００７２】
図１０には、ステップＳ３００における導風路５１２の幅を調整する制御の詳細が示されている。図１０に示すように、一連の制御を開始すると制御回路９０２はステップＳ３０２において、第１温度センサ４７６からの出力と第２温度センサ４７８からの出力とに基づいて押付ロール４３０の表面の温度が予め定められた第３の温度以上であるか否かを判別する。
【００７３】
そして、押付ロール４３０の表面の温度が第３の温度以上であるとの判別がなされた場合、制御回路９０２は、第２アクチュエータ５３３をオンの状態として清掃部４６０を押付ロール４３０に接近させて、画像形成装置１０を第３の位置関係（図６を参照）とする。
【００７４】
一方、ステップＳ３０２において、押付ロール４３０の表面の温度が第３の温度よりも小さいとの判別がなされた場合、制御回路９０２は、第２アクチュエータ５３３をオフの状態として画像形成装置１０を第１の位置関係（図５（ｂ）を参照）とする。
【００７５】
図１１には、画像形成装置１０における画像形成動作開始時における押付ロール４３０を清掃するか否かの判別をする制御が示されている。画像形成動作を開始するにあたり、図１１に示すようにステップＳ４０２において、制御回路９０２は、記憶部９０６に記憶されたデータを読み取り、先に押付ロール４３０を清掃してから予め定められた枚数以上の画像形成がなされたか否かを判別する。そして、先に押付ロール４３０を清掃してから予め定められた枚数以上の画像形成がなされたとの判別がなされた場合、ステップＳ５００に進み、先に押付ロール４３０を清掃してから予め定められた枚数以上の画像形成がなされていないとの判別がなされた場合、ステップＳ４０４に進む。
【００７６】
ステップＳ４０４では、制御回路９０２は、次になす画像形成が、例えば搬送路２５０や定着装置４００内等で用紙の搬送不良が生じ、その用紙を除去した直後の画像形成であるか否かを判別し、用紙を除去した直後の画像形成であるかとの判別がなされた場合、ステップＳ５００に進む。
【００７７】
ステップＳ５００においては、制御回路９０２は、押付ロール４３０の清掃を行わせる。押付ロール４３０の清掃を行わせる制御の詳細は後述する。
【００７８】
図１２には、ステップＳ５００における押付ロール４３０を清掃させる動作の詳細が示されている。一連の制御が開始されると、ステップＳ５０２において、制御回路９０２は第１アクチュエータ５３２をオンとして、押付ロール４３０を加熱部材４１０に接触させるともに、ステップＳ５０４で発熱部４２２、発熱部４２４及び発熱部４２６をオンとして、発熱部４２２、発熱部４２４及び発熱部４２６による押付ロール４３０の加熱を開始させる。
【００７９】
次のステップＳ５０６で、第１温度センサ４７６の出力と第２温度センサ４７８の出力とに基づいて押付ロール４３０の表面温度が予め定められた第４の温度以上であるとの判別をすると、制御回路９０２は、ステップＳ５０８において第１アクチュエータ５３２をオフとして、加熱部材４１０と押付ロール４３０とを離間させ、押付ロール４３０と清掃部４６０とを接触させて画像形成装置１０を第２の位置関係（図５（ａ）参照）とさせるとともに、ステップＳ５１０で、発熱部４２２、発熱部４２４及び発熱部４２６をオフとさせる。
【００８０】
次のステップＳ５１２では、制御回路９０２は、モータ４５２をオンとして押付ロール４３０の回転を開始させ、清掃部材４６２に押付ロール４３０の表面に付着した現像剤等を掻き取らせるようにして、押付ロール４３０を清掃させる。
【００８１】
次のステップＳ５１４で予め定められた所定時間が経過したことを確認した後、ステップＳ５１６で制御回路９０２はモータ４５２をオフとして一連の制御を終了させる。
【産業上の利用可能性】
【００８２】
以上で説明をしたように、本発明は、複写機、ファクシミリ装置、プリンタ等の画像形成装置と、例えばこれらの画像形成装置で用いられる定着装置とに適用することができる。
【符号の説明】
【００８３】
１０・・・画像形成装置
１００・・・像形成部
４００・・・定着装置
４１０・・・加熱部材
４３０・・・押付ロール
４６０・・・清掃部
４７０・・・第１送風装置
４７６・・・第１温度センサ
４８０・・・第２送風装置
４８６・・・第２温度センサ
４９０・・・第３送風装置
４９６・・・第３温度センサ
５１２・・・導風路
５３０・・・位置関係変更機構
５３２・・・第１アクチュエータ
５３３・・・第２アクチュエータ
【図１】
2015184408.tif 000003
【図２】
2015184408.tif 000004
【図３】
2015184408.tif 000005
【図４】
2015184408.tif 000006
【図５】
2015184408.tif 000007
【図６】
2015184408.tif 000008
【図７】
2015184408.tif 000009
【図８】
2015184408.tif 000010
【図９】
2015184408.tif 000011
【図１０】
2015184408.tif 000012
【図１１】
2015184408.tif 000013
【図１２】
2015184408.tif 000014